(57)【要約】【課題】特定のコンテンツの存在が秘密にされる映像記録再生装置を提供する。【解決手段】映像記録再生装置の一態様であるＨＤＤレコーダのハードディスクは、管理情報領域４１０にテーブル４２０を含む。テーブル４２０は、コンテンツを識別するタイトル番号が格納された領域４２２と、当該コンテンツの表示と非表示とを規定するための制御データが格納された領域４２４と、ＨＤＤレコーダの使用者によって入力されたパスワードが格納された領域４２６と、ハードディスク２４４の記憶容量が不足する場合に録画残量に反映するか否かを表わす制御データが格納された領域４２８と、ハードディスク２４４における記憶容量が不足する場合に当該コンテンツを消去することを許可するか否かを表わす制御データが格納された領域４３０とを含む。【選択図】図４
2008160429.tif 000002
【特許請求の範囲】
【請求項１】
映像記録再生装置であって、
前記映像記録再生装置に対する入力を受け付ける入力手段と、
映像を表示するためのデータファイルと、前記データファイルを識別する識別データとを格納するコンテンツ記録手段と、
前記識別データと、前記識別データによって識別される映像が格納されていることの表示を許可し又は禁止する制御データとを関連付ける関連付け手段とを備え、前記制御データは前記入力手段を介して入力され、
前記識別データに関連付けられた前記制御データを格納する管理情報記憶手段と、
前記コンテンツ記録手段に格納されている映像の一覧を表示する指示が入力されると、前記表示を許可する制御データが関連付けられた識別データに基づいて、前記コンテンツ記録手段に格納されている映像の一覧を表示する一覧データを生成する生成手段と、
前記一覧データを出力する出力手段とを備える、映像記録再生装置。
【請求項２】
映像記録再生装置であって、
前記映像記録再生装置に対する入力を受け付ける入力手段と、
映像を表示するためのデータファイルを格納するコンテンツ記録手段と、
前記データファイルと、前記データファイルに基づく映像の表示と非表示とを規定する制御データとを関連付ける関連付け手段とを備え、前記制御データは前記入力手段を介して入力され、
前記データファイルに関連付けられた前記制御データを格納する管理情報記憶手段と、
前記コンテンツ記録手段に格納されている映像を表示する指示の入力に応答して、前記表示が規定された前記制御データが関連付けられたデータファイルに基づく映像を表示するための表示データを生成する生成手段と、
前記表示データを出力する出力手段とを備える、映像記録再生装置。
【請求項３】
前記制御データは、前記データファイルが格納されていることの表示を許可し又は禁止するデータを含む、請求項２に記載の映像記録再生装置。
【請求項４】
前記コンテンツ記録手段は、前記データファイルを識別する識別データをさらに格納しており、
前記関連付け手段は、前記識別データと前記制御データとを関連付ける、請求項２に記載の映像記録再生装置。
【請求項５】
前記生成手段は、前記コンテンツ記録手段に格納されている映像の一覧を表示する指示が入力されると、前記表示を規定する制御データが関連付けられたデータファイルの一覧を表示するためのデータを生成する、請求項２に記載の映像記録再生装置。
【請求項６】
映像記録再生装置であって、
前記映像記録再生装置に対する入力を受け付ける入力手段と、
映像を表示するためのデータファイルと、前記データファイルを識別する識別データとを格納するコンテンツ記録手段と、
一組の命令を含むメモリと、
プロセッサとを備え、
前記プロセッサは、前記識別データと、前記識別データによって識別される映像が格納されていることの表示を許可し又は禁止する制御データとを関連付ける命令を実行し、前記制御データは前記入力手段を介して入力されるものであり、
前記プロセッサは、
前記識別データに関連付けられた前記制御データを前記メモリに格納する命令と、
前記コンテンツ記録手段に格納されている映像の一覧を表示する指示の入力に応答して、前記表示を許可する制御データが関連付けられた識別データに基づいて、前記コンテンツ記録手段に格納されている映像の一覧を表示する一覧データを生成する命令と、
前記一覧データを出力する命令とを実行する、映像記録再生装置。
【請求項７】
映像記録再生装置であって、
前記映像記録再生装置に対する入力を受け付ける入力手段と、
映像を表示するためのデータファイルを格納するコンテンツ記録手段と、
一組の命令を含むメモリと、
プロセッサとを備え、
前記プロセッサは、前記データファイルと、前記データファイルに基づく映像の表示と非表示とを規定する制御データとを関連付ける命令を実行し、前記制御データは前記入力手段を介して入力されるものであり、
前記プロセッサは、
前記データファイルに関連付けられた前記制御データを前記メモリに格納する命令と、
前記コンテンツ記録手段に格納されている映像を表示する指示の入力に応答して、前記表示が規定された前記制御データが関連付けられたデータファイルに基づく映像を表示するための表示データを生成する命令と、
前記表示データを出力する命令とを実行する、映像記録再生装置。
【請求項８】
前記制御データは、前記データファイルが格納されていることの表示を許可し又は禁止するデータを含む、請求項７に記載の映像記録再生装置。
【請求項９】
前記コンテンツ記録手段は、前記データファイルを識別する識別データをさらに格納しており、
前記プロセッサは、前記識別データと前記制御データとを関連付ける命令を実行する、請求項７に記載の映像記録再生装置。
【請求項１０】
前記プロセッサは、前記コンテンツ記録手段に格納されている映像の一覧を表示する指示の入力に応答して、前記表示を規定する制御データが関連付けられたデータファイルの一覧を表示するためのデータを生成する命令を実行する、請求項７に記載の映像記録再生装置。
【発明の詳細な説明】
【技術分野】
【０００１】
本発明は映像記録再生装置の制御に関し、特に、映像が当該装置に記録されていることの秘密を保持する技術に関する。
【背景技術】
【０００２】
ＨＤＤ（Hard Disｋ Drive）レコーダ、ＤＶＤレコーダその他の映像記録再生装置は、当該装置に与えられる指示に基づいて、ハードディスク、ＤＶＤ等の記録媒体における映像の記録の一覧を表示する。このような装置は、使用者に関わらず当該指示に応答して実行される。そのため、特定の使用者による操作にのみ、記録の内容を表示することが求められる場合もある。
【０００３】
たとえば、特開２００６−１７９１７４号公報（特許文献１）は、複数の人が操作を行なう記録メディアに対して行なわれる、記録者以外によるコンテンツの消去、不許可コンテンツの視聴を防止できる技術を開示している。
【０００４】
また、特開２００５−３２２４０５号公報（特許文献２）は、ディレクトリとプレイリストの両方に再生のための暗証番号の入力が要求されるように規定されている場合に、暗証番号の入力が１回で済む技術を開示している。
【０００５】
また、特開２００３−１６２８８４号公報（特許文献３）は、複数の使用者が情報記録再生装置を使用する場合に、情報を記録する領域を使用者毎に割り当てて管理できる技術を開示している。
【０００６】
さらに、特開２００２−１５７８２１号公報（特許文献４）は、録画データに関する個人のプライバシーを保護でき、複数の使用者が使用するマルチユーザ環境における使用に応じたシステムを開示している。
【特許文献１】特開２００６−１７９１７４号公報
【特許文献２】特開２００５−３２２４０５号公報
【特許文献３】特開２００３−１６２８８４号公報
【特許文献４】特開２００２−１５７８２１号公報
【発明の開示】
【発明が解決しようとする課題】
【０００７】
しかしながら、上記の各公報に開示された技術でも、映像の内容が知られなくても、他人は、何らかの映像が記録されていることを認識することがあり得る。そのため、完全な秘密を維持することができない場合もあった。
【０００８】
本発明は、上述の問題点を解決するためになされたものであって、その目的は、映像を記録したことを他人が知ることのできない映像記録再生装置を提供することである。
【課題を解決するための手段】
【０００９】
上記の課題を解決するために、この発明のある局面に従う映像記録再生装置は、映像記録再生装置に対する入力を受け付ける入力手段と、映像を表示するためのデータファイルと、データファイルを識別する識別データとを格納するコンテンツ記録手段と、識別データと、識別データによって識別される映像が格納されていることの表示を許可し又は禁止する制御データとを関連付ける関連付け手段とを備える。制御データは入力手段を介して入力される。映像記録再生装置は、識別データに関連付けられた制御データを格納する管理情報記憶手段と、コンテンツ記録手段に格納されている映像の一覧を表示する指示が入力されると、表示を許可する制御データが関連付けられた識別データに基づいて、コンテンツ記録手段に格納されている映像の一覧を表示する一覧データを生成する生成手段と、一覧データを出力する出力手段とを備える。
【００１０】
この発明の他の局面に従う映像記録再生装置は、映像記録再生装置に対する入力を受け付ける入力手段と、映像を表示するためのデータファイルを格納するコンテンツ記録手段と、データファイルと、データファイルに基づく映像の表示と非表示とを規定する制御データとを関連付ける関連付け手段とを備える。制御データは入力手段を介して入力される。映像記録再生装置は、データファイルに関連付けられた制御データを格納する管理情報記憶手段と、コンテンツ記録手段に格納されている映像を表示する指示の入力に応答して、表示が規定された制御データが関連付けられたデータファイルに基づく映像を表示するための表示データを生成する生成手段と、表示データを出力する出力手段とを備える。
【００１１】
好ましくは、制御データは、データファイルが格納されていることの表示を許可し又は禁止するデータを含む。
【００１２】
好ましくは、コンテンツ記録手段は、データファイルを識別する識別データをさらに格納する。関連付け手段は、識別データと制御データとを関連付ける。
【００１３】
好ましくは、生成手段は、コンテンツ記録手段に格納されている映像の一覧を表示する指示が入力されると、表示を規定する制御データが関連付けられたデータファイルの一覧を表示するためのデータを生成する。
【００１４】
この発明の他の局面に従う映像記録再生装置は、映像記録再生装置に対する入力を受け付ける入力手段と、映像を表示するためのデータファイルと、データファイルを識別する識別データとを格納するコンテンツ記録手段と、一組の命令を含むメモリと、プロセッサとを備える。プロセッサは、識別データと、識別データによって識別される映像が格納されていることの表示を許可し又は禁止する制御データとを関連付ける命令を実行する。制御データは入力手段を介して入力される。プロセッサは、識別データに関連付けられた制御データをメモリに格納する命令と、コンテンツ記録手段に格納されている映像の一覧を表示する指示の入力に応答して、表示を許可する制御データが関連付けられた識別データに基づいて、コンテンツ記録手段に格納されている映像の一覧を表示する一覧データを生成する命令と、一覧データを出力する命令とを実行する。
【００１５】
この発明のさらに他の局面に従う映像記録再生装置は、映像記録再生装置に対する入力を受け付ける入力手段と、映像を表示するためのデータファイルを格納するコンテンツ記録手段と、一組の命令を含むメモリと、プロセッサとを備える。プロセッサは、データファイルと、データファイルに基づく映像の表示と非表示とを規定する制御データとを関連付ける命令を実行する。制御データは入力手段を介して入力される。プロセッサは、データファイルに関連付けられた制御データをメモリに格納する命令と、コンテンツ記録手段に格納されている映像を表示する指示の入力に応答して、表示が規定された制御データが関連付けられたデータファイルに基づく映像を表示するための表示データを生成する命令と、表示データを出力する命令とを実行する。
【００１６】
好ましくは、制御データは、データファイルが格納されていることの表示を許可し又は禁止するデータを含む。
【００１７】
好ましくは、コンテンツ記録手段は、データファイルを識別する識別データをさらに格納している。プロセッサは、識別データと制御データとを関連付ける命令を実行する。
【００１８】
好ましくは、プロセッサは、コンテンツ記録手段に格納されている映像の一覧を表示する指示の入力に応答して、表示を規定する制御データが関連付けられたデータファイルの一覧を表示するためのデータを生成する命令を実行する。
【発明の効果】
【００１９】
本発明に係る映像記録再生装置によると、映像を記録したことが他人に知られることを防止することができる。
【発明を実施するための最良の形態】
【００２０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２１】
図１を参照して、本発明の実施の形態に係る映像記録再生装置１００について説明する。図１は、映像記録再生装置１００によって実現される機能の構成を表わすブロック図である。映像記録再生装置１００は、入力部１１０と、コンテンツ記録部１２０と、関連付け部１３０と、管理情報記憶部１４０と、生成部１５０と、出力部１６０とを備える。
【００２２】
入力部１１０は、映像記録再生装置１００に対する入力を受け付ける。当該入力は、映像記録再生装置１００における動作を規定するための設定データと、映像記録再生装置１００による動作の命令とを含む。当該命令は、たとえば映像記録再生装置１００によって再生可能な映像コンテンツの一覧の表示命令を含む。
【００２３】
コンテンツ記録部１２０は、映像記録再生装置１００による再生の対象となるデータファイルを格納する。コンテンツ記録部１２０は、内蔵型のデータ記憶装置であってもよく、また他の局面において、着脱可能な記録媒体として実現されてもよい。
【００２４】
コンテンツ記録部１２０は、他の局面においては、映像を表示するためのデータファイルと、当該データファイルを識別する識別データとを格納している。
【００２５】
関連付け部１３０は、当該データファイルと、データファイルに基づく映像の表示または非表示を規定する制御データとの関連付けを行なう。他の局面においては、関連付け部１３０は、識別データと、当該識別データによって識別される映像が格納されていることの表示を許可し、または禁止する制御データとの関連付けを行なう。
【００２６】
管理情報記憶部１４０は、データファイルに関連付けられた制御データを格納する。ある局面において、管理情報記憶部１４０は、当該データファイルに基づく映像の再生を規定する他の制御データ（たとえばそのデータファイルに関連付けられるパスワード）をさらに格納する。
【００２７】
生成部１５０は、入力部１１０に対する指示に基づいて、コンテンツ記録部１２０に格納されているデータファイルに基づく映像を表示するためのデータを生成する。ある局面において、生成部１５０は、コンテンツ記録部１２０に格納されている映像を表示する指示の入力に応答して、当該表示が規定された制御データが関連付けられているデータファイルに基づく映像を表示するためのデータを生成する。他の局面において、生成部１５０は、コンテンツ記録部１２０に格納されている映像の一覧を表示する指示が入力されると、当該表示を許可する制御データが関連付けられた識別データに基づいて、コンテンツ記録部１２０に格納されている映像の一覧を表示するためのデータを生成する。
【００２８】
出力部１６０は、生成部１５０からの出力に基づいて作動するように構成される。具体的には、出力部１６０は、生成部１５０によって生成されたデータを映像記録再生装置１００の外部に出力する。
【００２９】
図２を参照して、映像記録再生装置１００の具体的構成について説明する。図２は、映像記録再生装置１００として機能するＨＤＤレコーダ２００のハードウェア構成を表わすブロック図である。ＨＤＤレコーダ２００は、アンテナ２８０に電気的に接続されている。さらに、ＨＤＤレコーダ２００は、ケーブル２８２を介してテレビ２９０に接続されている。
【００３０】
ＨＤＤレコーダ２００は、システム制御部２１０と、操作部２２２と、受光部２２４と、計時回路２２６と、表示部２２８と、チューナ２３０と、外部入力部２３２と、ＭＰＥＧ（Moving Picture Experts Group）エンコーダ２５２と、ハードディスク装置２４０と、光ディスク駆動装置２７０と、ＭＰＥＧデコーダ２５４と、ＯＳＤ（On Screen Display）画像生成回路２１４と、合成回路２５８と、Ｄ／Ａ（Digital to Analog）変換部２６０と、出力部２６８とを備える。
【００３１】
システム制御部２１０は、プロセッサ２１１とメモリ２１２とを含む。ハードディスク装置２４０は、ピックアップ２４２とハードディスク２４４とを含む。光ディスク駆動装置２７０にはＤＶＤ（Digital Versatile Disc）２７２その他の光ディスクが装着可能である。
【００３２】
操作部２２２は、ＨＤＤレコーダ２００に対する指示の入力を受け付ける。操作部２２２は、その指示に応じた信号をシステム制御部２１０に送出する。
【００３３】
受光部２２４は、ＨＤＤレコーダ２００を制御するためのリモコン端末（図示しない）によって発信される制御信号を受信する。受光部２２４は、その信号に応じた電気信号をシステム制御部２１０に送出する。
【００３４】
計時回路２２６は、ＨＤＤレコーダ２００における時刻を計測する。計時回路２２６は、その時刻を表わす情報をシステム制御部２１０に送出する。
【００３５】
表示部２２８は、ＨＤＤレコーダ２００における作動状態を表わす画像を表示する。表示部２２８は、たとえばＬＥＤ（Light Emitting Diode）などにより実現される。
【００３６】
チューナ２３０は、アンテナ２８０に接続される。チューナ２３０は、アンテナ２８０によって受信された信号から、システム制御部２１０による命令に応じたチャンネルに同調し、その信号をＭＰＥＧエンコーダ２５２に出力する。
【００３７】
外部入力部２３２は、ＨＤＤレコーダ２００の外部から映像音声信号の入力を受け付ける。たとえば、外部入力部２３２には、デジタルビデオレコーダその他の映像記録装置が接続される。
【００３８】
ＭＰＥＧエンコーダ２５２は、チューナ２３０あるいは外部入力部２３２から出力される信号を圧縮符号化し、システム制御部２１０に送出する。
【００３９】
ハードディスク装置２４０は、システム制御部２１０からの指令に基づいて作動する。ハードディスク装置２４０は、その指令に基づいてピックアップ２４２を駆動し、システム制御部２１０から送出された信号をハードディスク２４４のメモリ領域に逐次書き込む。あるいは、他の局面において、ハードディスク装置２４０は、システム制御部２１０からの再生指令に応答して、ハードディスク２４４のメモリ領域から再生が指示された信号を読み出し、その信号をシステム制御部２１０に送出する。
【００４０】
システム制御部２１０は、受光部２２４あるいは操作部２２２から送出された命令に応答してＨＤＤレコーダ２００の動作を制御する。具体的には、システム制御部２１０において、プロセッサ２１１が、メモリ２１２に格納されているデータおよびプログラム（たとえばファームウェア）を用いて、特定の命令を実行することにより、指示された処理を実現する。当該処理は、コンテンツの記録、再生、編集などを含む。なお、各命令が記述される態様は、特定のものに限られない。
【００４１】
ＭＰＥＧデコーダ２５４は、システム制御部２１０から送出された信号を復号し、合成回路２５８に送出する。
【００４２】
ＯＳＤ画像生成回路２１４は、システム制御部２１０からの命令に基づいて、ＨＤＤレコーダ２００の状態を表示するための画像を生成する。生成される画像は、たとえばチューナ２３０によって選局されているチャンネル番号、ＤＶＤ２７２によって再生されているコンテンツの名称、ハードディスク２４４に格納されている映像コンテンツの一覧などを含む。
【００４３】
合成回路２５８は、ＭＰＥＧデコーダ２５４およびＯＳＤ画像生成回路２１４からの各出力に基づいて、各出力信号を合成し、その合成により生成された信号をＤ／Ａ変換部２６０に送出する。なお、ＯＳＤ画像生成回路２１４に対する動作命令がシステム制御部２１０によって出力されていない場合には、合成回路２５８は、ＭＰＥＧデコーダ２５４からの出力のみに基づいて信号をＤ／Ａ変換部２６０に伝送する。
【００４４】
Ｄ／Ａ変換部２６０は、合成回路２５８から出力されたデジタル信号をアナログ信号に変換し、そのアナログ信号を出力部２６８に送出する。出力部２６８は、Ｄ／Ａ変換部２６０によって生成されたアナログ信号をケーブル２８２に対して送出する。テレビ２９０は、その信号に基づいて映像を表示する。
【００４５】
なお、テレビ２９０がデジタル信号の入力を受け付けることができる場合には、Ｄ／Ａ変換部２６０は、ＨＤＤレコーダ２００に含まれなくてもよい。
【００４６】
光ディスク駆動装置２７０は、装着されるＤＶＤ２７２その他の光ディスクに対して、デジタル信号を書き込むとともに、既に記録されているデータを光ディスク２７２から読み出す。読み出された信号は、ＭＰＥＧデコーダ２５４に送出される。
【００４７】
図３を参照して、ＨＤＤレコーダ２００の制御構造について説明する。図３は、システム制御部２１０が実行する一連の動作を表わすフローチャートである。この動作は、メモリ２１２に格納されているデータおよびプログラムに基づいてプロセッサ２１１が特定の命令を実行することにより実現される。
【００４８】
ステップＳ３１０にて、システム制御部２１０は、テレビ２９０に表示されているメニュー画面に対する指示（たとえばリモコン端末により発信される制御信号）に基づいて、タイトルの非表示を設定する画面を表示する。具体的には、プロセッサ２１１は、メモリ２１２に格納されているデータを読み出し、タイトルの非表示を設定する画面を表示するためのデータを生成し、ＯＳＤ画像生成回路２１４に対して、その生成したデータを送出する。ＯＳＤ画像生成回路２１４は、そのデータを合成回路２５８に送出する。合成回路２５８は、ＭＰＥＧデコーダ２５４からの出力の有無にかかわらず、そのデータをＤ／Ａ変換部２６０に送出する。このデータがテレビ２９０に入力されると、テレビ２９０は、その「タイトルの非表示を設定する画面」を表示する。
【００４９】
ステップＳ３２０にて、システム制御部２１０は、受光部２２４によって受信された制御信号に基づいて、記録されていることが表示されないタイトルの番号の入力を受け付ける。たとえば、リモコン端末の使用者がタイトルの番号に対応するボタンを押下した場合に、この入力が実現される。
【００５０】
ステップＳ３３０にて、システム制御部２１０は、そのタイトルを表示するためのパスワードの入力を受け付ける。たとえば、プロセッサ２１１は、ＯＳＤ画像生成回路２１４に命令を送信することにより、パスワードの入力を受け付けるための画面を表示するデータを生成させる。ＯＳＤ画像生成回路２１４がその命令に応答してそのデータを生成すると、そのデータは合成回路２５８からＤ／Ａ変換部２６０に送信される。このデータがテレビ２９０に入力されると、テレビ２９０は、そのタイトルを表示するためのパスワードの入力画面を表示する。
【００５１】
リモコン端末の使用者がそのリモコン端末を使用してパスワードを入力すると、そのパスワードを含む制御信号は受光部２２４によって受信される。受信された信号は、システム制御部２１０に送出される。プロセッサ２１１は、その信号から当該パスワードを読み出し、メモリ２１２において確保した領域に一時的にそのパスワードを書き込む。
【００５２】
ステップＳ３４０にて、システム制御部２１０は、そのタイトルを録画可能な容量に反映するか否かを表わす設定データの入力を受け付ける。具体的には、プロセッサ２１１は、ＯＳＤ画像生成回路２１４に命令して、当該設定データの入力画面を生成させる。テレビ２９０がその画面を表示すると、ＨＤＤレコーダ２００の使用者は、他の設定データを入力することができる。そこで、その使用者がリモコン端末を操作して当該設定データの入力を行なう。たとえば、当該使用者は、選択したタイトルを録画可能な容量に反映することを表わす場所にチェックマークを付すための操作を行なう。そのような操作を行なうと、当該リモコン端末は操作に応じた制御信号を発信する。受光部２２４がその信号を受信すると、システム制御部２１０によってその信号が受け付けられる。プロセッサ２１１は、その設定データをメモリ２１２の他の領域に書き込む。
【００５３】
ステップＳ３５０にて、システム制御部２１０は、録画可能な容量が不足している場合にそのタイトルを消去してもよいか否かを表わす設定データの入力を受け付ける。この場合も、ステップＳ３４０における処理と同様に、テレビ２９０がその入力画面を表示する。使用者がリモコン端末を操作してタイトルの消去の可否を表わす設定データを入力すると、その入力に応じた制御信号がリモコン端末によって発信される。受光部２２４は、その信号を受信すると、システム制御部２１０にその信号を送出する。プロセッサ２１１は、その信号に含まれる当該設定データを読み出し、メモリ２１２のさらに他の領域に書き込む。
【００５４】
ステップＳ３６０にて、システム制御部２１０は、設定の確定が入力されたか否かを判断する。この判断は、たとえば受光部２２４が受信した制御信号は当該確定を表わすコードを含むか否かに基づいて行なわれる。システム制御部２１０は、その確定が入力されたと判断すると（ステップＳ３６０にてＹＥＳ）、制御をステップＳ３７０に切り換える。そうでない場合には（ステップＳ３６０にてＮＯ）、システム制御部２１０は、制御をステップＳ３２０に切り換える。
【００５５】
ステップＳ３７０にて、システム制御部２１０は、タイトルの番号と、表示を禁止する制御データと、パスワードと、各設定データとを関連付けてハードディスク２４４の管理情報記憶領域に格納する。ステップＳ３８０にて、システム制御部２１０は、管理情報記憶領域に対するデータの書き込みの完了に応答して、初期のメニュー画面を表示する命令をＯＳＤ画像生成回路２１４に送出する。テレビ２９０は、メニュー画面を再び表示する。
【００５６】
図４を参照して、ＨＤＤレコーダ２００のデータ構造について説明する。図４は、ハードディスク２４４におけるデータの格納の一態様を概念的に表わす図である。ハードディスク２４４は、コンテンツの記録と再生とを制御する管理情報を格納するための管理情報領域４１０と、コンテンツデータを格納するコンテンツ領域４４０とを含む。
【００５７】
管理情報領域４１０は、たとえばテーブル４２０を含む。テーブル４２０は、管理情報を格納するための複数の領域を含む。コンテンツを識別するタイトル番号は、領域４２２に格納されている。当該コンテンツの表示と非表示とを規定するための制御データは、領域４２４に格納されている。ＨＤＤレコーダ２００の使用者によって入力されたパスワードは、領域４２６に格納されている。このパスワードは、当該コンテンツにアクセスするためのパスワードである。
【００５８】
ハードディスク２４４の記憶容量が不足する場合に録画残量に反映するか否かを表わす制御データは、領域４２８に格納されている。ハードディスク２４４における記憶容量が不足する場合に当該コンテンツを消去することを許可するか否かを表わす制御データは、領域４３０に格納されている。領域４２２から領域４３０に格納されている各データは、相互に関連付けられている。
【００５９】
一方、コンテンツ領域４４０において、実際に録画されたデータは、領域４４２，４４４，４４６，４４８として格納される。たとえば、領域４４２に格納されているタイトル番号「１」によって特定されるコンテンツデータは、管理情報領域４１０における領域４２２のタイトル番号「１」のコンテンツに対応する。
【００６０】
たとえば、タイトル番号「１」が指定されると、当該コンテンツには、「表示」を規定する制御データが割り当てられている（領域４２４）。また、パスワードは設定されていない（領域４２６）。このコンテンツは、録画残量に反映される（領域４２８）。そして、ハードディスク２４４の記憶容量が不足する場合には「消去可能」に設定されている（領域４３０）。したがって、ある使用者が別の録画を行なう場合に記憶容量が不足している場合には、タイトル番号「１」で特定されるコンテンツデータは、消去され得る。
【００６１】
一方、タイトル番号「２」のコンテンツに関し、「非表示」を規定する制御データが割り当てられている（領域４２４）。そのパスワードは「ａｂｃ」に設定されている（領域４２６）。当該コンテンツは録画残量に反映されない（領域４２８）。またハードディスク２４４の記憶容量が不足している場合にも当該コンテンツは「消去禁止」である（領域４３０）。したがって、新たに録画を行なう場合にハードディスク２４４において容量不足が検知されても、タイトル番号「２」が付されたコンテンツは、パスワード「ａｂｃ」が入力されない限り、消去されない。
【００６２】
図５を参照して、ＨＤＤレコーダ２００の制御構造についてさらに説明する。図５は、ＨＤＤレコーダ２００がハードディスク２４４に格納されているコンテンツの一覧を通常の態様で表示する場合に実行する動作の手順を表わすフローチャートである。この動作は、たとえば、使用者がコンテンツの一覧命令をＨＤＤレコーダ２００に与えた場合に実行される。
【００６３】
ステップＳ５１０にて、システム制御部２１０は、受光部２２４を介して受信したリモコン信号に基づいて、ハードディスク２４４に格納されているコンテンツの一覧を表示する指示が入力されたことを検知する。
【００６４】
ステップＳ５２０にて、システム制御部２１０は、管理情報領域４１０に格納されているテーブル４２０を参照して、「表示」の制御データ（領域４２４）が関連付けられたタイトルのタイトル番号のタイトルのみを表示する一覧データを生成する。
【００６５】
ステップＳ５３０にて、システム制御部２１０は、その一覧データをＯＳＤ画像生成回路２１４を介してテレビ２９０に出力する。テレビ２９０は、その一覧データに基づいてＨＤＤレコーダ２００に保存されているコンテンツの一覧を表示する。この場合、「表示」の制御データが関連付けられたタイトルのみが表示される。したがって、図４を参照すると、「非表示」が関連付けられたタイトル番号「２」および「３」のコンテンツのタイトルは表示されない。
【００６６】
そこで、図６を参照して、テレビ２９０における画面の表示態様について説明する。図６は、ＨＤＤレコーダ２００から一覧データの入力を受けたテレビ２９０が表示する録画リストを表わす図である。
【００６７】
テレビ２９０は、表示領域６１０を含む。表示領域６１０には、録画リストが表示される。録画リストは、４つの項目を表示する。具体的には、「表示」可能と設定されたコンテンツを順次表わす番号は、領域６１０に表示される。当該コンテンツの具体的な名称は、領域６１４に表示される。コンテンツの録画時間は、領域６１６に表示される。そのコンテンツが録画された日時は、領域６１８に表示される。ここで、「表示１」は、テーブル４２０における最初のコンテンツ（タイトル番号「１」）である。次に、「表示２」と付されたコンテンツは、テーブル４２０におけるタイトル番号「４」を表わす。この場合、領域４２２に格納されているようなタイトル番号が録画リストに含まれないため、テレビ２９０の視聴者は、タイトル番号「２」および「３」に相当するコンテンツが表示されていないことを認識することはできない。これにより、本実施の形態に係るＨＤＤレコーダ２００には、ハードディスク２４４に格納されている一部のコンテンツについて、当該コンテンツが格納されていることを第三者に知られないようにすることができる。
【００６８】
図７を参照して、ＨＤＤレコーダ２００の制御構造についてさらに説明する。図７は、表示が隠されたコンテンツを再生する場合にＨＤＤレコーダ２００が実行する一連の動作を表わすフローチャートである。
【００６９】
ステップＳ７１０にて、システム制御部２１０は、受光部２２４を介して受信したリモコン信号に基づいて、セットアップメニュー画面をテレビ２９０に表示させる。具体的には、プロセッサ２１１は、当該画面の表示命令をＯＳＤ画像生成回路２１４に送出する。ＯＳＤ画像生成回路２１４は、その命令に応じてセットアップメニュー画面を表わすデータを生成し、生成したデータを合成回路２５８に送出する。なお、セットアップメニュー画面を表わすデータは、たとえばメモリ２１２に予め格納されている。
【００７０】
ステップＳ７２０にて、システム制御部２１０は、受光部２２４を介した入力に基づいて、パスワードが入力されたことを検知する。ステップＳ７３０にて、システム制御部２１０は、入力されたパスワードと登録済みのパスワードとが一致する否かを判断する。具体的には、セットアップメニュー画面が表示されたときに、プロセッサ２１１は、ハードディスク２４４の管理情報領域４１０からパスワード（領域４２６）を読み出し、メモリ２１２のワーク領域に一時的に格納する。プロセッサ２１１は、受光部２２４から送られた信号に含まれるパスワード（入力されたパスワード）と、メモリ２１２に格納したパスワード（登録済みのパスワード）とを比較することにより、当該入力されたパスワードの認証を行なう。システム制御部２１０は、これらのパスワードが一致すると判断すると（ステップＳ７３０にてＹＥＳ）、制御をステップＳ７４０に切り換える。そうでない場合には（ステップＳ７３０にてＮＯ）、システム制御部２１０は、制御をステップＳ７２０に戻す。
【００７１】
ステップＳ７４０にて、システム制御部２１０は、管理情報領域４１０から、「非表示」に設定されたコンテンツ番号（領域４２２）を読み出し、その読み出したデータに基づいて一覧を表示するデータを生成する。図４の例では、タイトル番号「２」および「３」が付されたデータが使用される。
【００７２】
ステップＳ７５０にて、システム制御部２１０は、その生成したデータをＯＳＤ画像生成回路２１４に出力する。ＯＳＤ画像生成回路２１４は、その信号に基づいて一覧を表示するためのデータを生成し、生成したデータを合成回路２５８に送出する。この信号がＨＤＤレコーダ２００からテレビ２９０に送られると、テレビ２９０は、「非表示」に設定されたコンテンツの一覧を表示する。
【００７３】
ステップＳ７６０にて、システム制御部２１０は、受光部２２４から出力される信号に基づいて、コンテンツを再生する指示が入力されたか否かを判断する。システム制御部２１０は、その指示が入力されたと判断すると（ステップＳ７６０にてＹＥＳ）、制御をステップＳ７７０に切り換える。そうでない場合には（ステップＳ７６０にてＮＯ）、システム制御部２１０は処理を終了する。ステップＳ７７０にて、システム制御部２１０は、指定されたコンテンツを再生する命令をピックアップ２４２に送り、当該コンテンツの再生を開始する。ハードディスク２４４から読み出されたデータは、ＭＰＥＧデコーダ２５４によって復号され、さらに合成回路２５８を介して出力部２６８に送られる。テレビ２９０は、そのコンテンツの表示を開始する。
【００７４】
ここで、図８を参照して、隠されたコンテンツを再生する場合におけるテレビ２９０の表示態様について説明する。図８は、表示領域に示される画面の変化を表わす図である。
【００７５】
ＨＤＤレコーダ２００の使用者がリモコン端末を操作してセットアップメニュー画面の表示命令をＨＤＤレコーダ２００に与えると、その命令に応じた信号がシステム制御部２１０およびＯＳＤ画像生成回路２１４によって生成される。生成された信号がＨＤＤレコーダ２００からテレビ２９０に送られると、テレビ２９０はセットアップメニュー画面を表示する（図８（Ａ））。セットアップメニュー画面は、たとえば「再生モード」と示すタイトルを含む。再生モードは、たとえば「パレンタルロック」と「パスワード保護」とを含む。当該使用者がリモコン端末を操作してパスワード保護と表示されたメッセージ８１０を選択すると、その選択操作に応答して、画面は、システム制御部２１０およびＯＳＤ画像生成回路２１４によって変更される（図８（Ｂ））。
【００７６】
パスワード保護の画面は、パスワードの入力を促すメッセージと入力されたパスワードを間接的に表示するための領域８２０とを含む。使用者がリモコン端末を操作してパスワードを入力すると、パスワードが直接表示されないように、かつ何らかの文字または記号が入力されていることを示すような表示が領域８２０に反映される。その後、使用者がリモコン端末を操作して入力したパスワードを確定する命令をＨＤＤレコーダ２００に与えると、そのパスワードとハードディスク２４０に登録されているパスワードとが一致する場合には（ステップＳ７３０にてＹＥＳ）、隠されたタイトルの一覧が表示される（図８（Ｃ））。この場合、隠されたタイトルの一覧は、たとえばタイトル番号「２」および「３」を含む。そこで、使用者がタイトル番号「２」が示されたアイコンを選択すると、選択されたタイトル番号に対応するコンテンツの再生が開始される。
【００７７】
次に、図９を参照して、ＨＤＤレコーダ２００の制御構造についてさらに説明する。図９は、ＨＤＤレコーダ２００に予約録画を行なう場合に実行される一連の動作を表わすフローチャートである。
【００７８】
ステップＳ９１０にて、システム制御部２１０は、受光部２２４からの出力に基づいて、録画情報の入力を受け付ける。録画情報は、開始時刻と、終了時刻と、録画モードと、チューナ２３０によって選局されるチャンネルとを含む。
【００７９】
ステップＳ９２０にて、システム制御部２１０は、録画情報に基づいて録画に必要な容量を算出する。具体的には、当該容量は、開始時刻と終了時刻とから算出される録画時間と、録画モードに応じて規定されるデータ量とに基づいて算出される。
【００８０】
ステップＳ９３０にて、システム制御部２１０は、ハードディスク２４４における空き容量が録画情報に基づく必要な容量を上回るか否かを判断する。システム制御部２１０は、当該空き容量が当該必要な容量を上回ると判断すると（ステップＳ９３０にてＹＥＳ）、制御をステップＳ９７０に切り換える。そうでない場合には（ステップＳ９３０にてＮＯ）、システム制御部２１０は制御をステップＳ９４０に切り換える。
【００８１】
ステップＳ９４０にて、システム制御部２１０は、管理情報領域４１０を参照して、消去可能なコンテンツが存在するか否かを判断する。システム制御部２１０は、消去可能なコンテンツが存在すると判断すると（ステップＳ９４０にてＹＥＳ）、制御をステップＳ９５０に切り換える。そうでない場合には（ステップＳ９４０にてＮＯ）、システム制御部２１０は制御をステップＳ９８０に切り換える。
【００８２】
図４に示される例では、タイトル番号「１」、「３」および「４」が「消去可能」に設定されている。
【００８３】
ステップＳ９５０にて、システム制御部２１０は、そのコンテンツのデータ量を空き容量に加算して、ハードディスク２４４における空き容量を再度算出する。具体的には、上記のタイトル番号「１」、「３」および「４」についてのデータ量が空き容量に加算される。
【００８４】
ステップＳ９６０にて、システム制御部２１０は、再度算出された空き容量が上記録画情報に基づく録画に必要な容量を上回るか否かを判断する。システム制御部２１０は、当該空き容量が当該必要な容量を上回ると判断すると（ステップＳ９６０にてＹＥＳ）、制御をステップＳ９７０に切り換える。そうでない場合には（ステップＳ９６０にてＮＯ）、システム制御部２１０は制御をステップＳ９８０に切り換える。
【００８５】
ステップＳ９７０にて、システム制御部２１０は、ステップＳ９１０にて受け付けた録画情報に基づいて予約録画の設定を行なう。具体的には、プロセッサ２１１は、当該録画情報を構成する開始時刻、終了時刻、録画モード、チャンネル番号などを、メモリ２１２で確保された領域に書き込む。
【００８６】
ステップＳ９８０にて、システム制御部２１０は、ハードディスク２４４における空き容量が少ないことを通知するメッセージを出力する。具体的には、プロセッサ２１１は、当該メッセージを表示するデータを生成する命令をＯＳＤ画像生成回路２１４に与える。ＯＳＤ画像生成回路２１４は、その命令に応答して、メモリ２１２において予め準備されているデータを用いて、当該メッセージを表わす画像データを生成し、生成したデータを合成回路２５８に送出する。このデータがテレビ２９０に送られると、テレビ２９０は、ＨＤＤレコーダ２００における空き容量が少ないことを通知するメッセージを表示する。
【００８７】
以上のようにして、本実施の形態に係るＨＤＤレコーダ２００は、特定の映像コンテンツ（たとえば、録画されたテレビ番組、外部入力された映像信号など）が、内蔵するハードディスク２４４に記録されていることの秘密を維持するための設定データを受け付ける。ＨＤＤレコーダ２００のシステム制御部２１０は、その設定データと当該特定の映像コンテンツとを関連付けるデータを生成し、そのデータを管理情報領域４１０に格納する。
【００８８】
システム制御部２１０は、ハードディスク２４４に記録されている映像コンテンツの一覧を表示する指示の入力を検知すると、データ項目として「表示」（領域４２４）が関連付けられた映像コンテンツのタイトルを用いて、一覧データを生成する。一覧データがＨＤＤレコーダ２００からテレビ２９０に入力されると、テレビ２９０は、「表示」が関連付けられた映像コンテンツの一覧のみを表示する（図６）。これにより、当該映像コンテンツの録画の命令を与えた使用者以外の第三者は、「非表示」が関連付けられた映像コンテンツがＨＤＤレコーダ２００に記録されていることを知ることができない。これにより、「非表示」が関連付けられた映像コンテンツがＨＤＤレコーダ２００に記録されていることの秘密が防止される。
【００８９】
また、ハードディスク２４４その他の記録媒体の容量が不足する場合には、消去可能（領域４３０）と設定された映像コンテンツは、新たな録画の前に消去される。したがって、何らかの映像コンテンツが記録されていることを知り得ない使用者が新たなコンテンツ（たとえばテレビ番組）を録画する前に、当該映像コンテンツが消去されるため、記録媒体の容量不足も回避される。
【００９０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００９１】
本発明は、ＨＤＤレコーダ、ＤＶＤレコーダその他の映像記録再生装置に適用可能である。
【図面の簡単な説明】
【００９２】
【図１】本発明の実施の形態に係る映像記録再生装置１００によって実現される機能の構成を表わすブロック図である。
【図２】映像記録再生装置１００として機能するＨＤＤレコーダ２００のハードウェア構成を表わすブロック図である。
【図３】ＨＤＤレコーダ２００のシステム制御部２１０が実行する一連の動作を表わすフローチャートである。
【図４】ハードディスク２４４におけるデータの格納の一態様を概念的に表わす図である。
【図５】ＨＤＤレコーダ２００がハードディスク２４４に格納されているコンテンツの一覧を表示する場合に実行する一連の動作を表わすフローチャートである。
【図６】ＨＤＤレコーダ２００から一覧データの入力を受けたテレビ２９０が表示する録画リストを表わす図である。
【図７】表示が隠されたコンテンツを再生する場合にＨＤＤレコーダ２００が実行する一連の動作を表わすフローチャートである。
【図８】テレビ２９０の表示領域に示される画面の変化を表わす図である。
【図９】ＨＤＤレコーダ２００に予約録画を行なう場合に実行される一連の動作を表わすフローチャートである。
【符号の説明】
【００９３】
２４２  ピックアップ、２４４  ハードディスク、２７２  ＤＶＤ、２８０  アンテナ、２８２  ケーブル、２９０  テレビ。
【図１】
2008160429.tif 000003
【図２】
2008160429.tif 000004
【図３】
2008160429.tif 000005
【図４】
2008160429.tif 000006
【図５】
2008160429.tif 000007
【図６】
2008160429.tif 000008
【図７】
2008160429.tif 000009
【図８】
2008160429.tif 000010
【図９】
2008160429.tif 000011